(57)【要約】【課題】  複数のフレキシブルな記録ディスクメディアを収納した記録ディスクカートリッジを簡易に構成し、記録ディスクメディアの枚数の変更も容易にする。また、記録ディスクカートリッジ内の塵埃の逆流・再発塵を抑える。【解決手段】  記録ディスメディアの一例である磁気ディスクメディア４１をカートリッジケース２に複数収納する。カートリッジケース２は、磁気ディスクメディア４１に平行な下壁を構成する下プレート１０と、下プレート１０の上に積層され固定されて複数の磁気ディスクメディア４１を仕切るインナプレート２０と、インナプレート２０の上に積層され固定されてカートリッジケース２の上壁を構成する上プレート３０とを備えて構成する。また、シャッタプレートの内面に、粘着性を有する集塵手段７０を設ける。【選択図】      図２
2006065900.tif 000002
【特許請求の範囲】
【請求項１】
フレキシブルな複数の記録ディスクメディアをカートリッジケース内に一体回転可能に収納した記録ディスクカートリッジであって、
前記カートリッジケースは、前記記録ディスクメディアの平行な下壁を構成する下プレートと、前記下プレートの上に積層され固定されて前記複数の記録ディスクメディアを仕切る少なくとも１枚のインナプレートと、前記インナプレートの上に積層され固定されて前記カートリッジケースの上壁を構成する上プレートと、これらの下プレート、インナプレート、および上プレートにより構成される側部の一部に形成された開口部と、前記開口部を開閉するシャッタとを備え、
前記シャッタの少なくとも一部に集塵手段が設けられたことを特徴とする記録ディスクカートリッジ。
【請求項２】
前記シャッタは、前記開口部を開閉する板状部材であるシャッタプレートと、前記シャッタプレートを回動自在に支持する回動支持部材とを含んで構成され、
前記集塵手段は、前記シャッタプレートの内面に設けられたことを特徴とする請求項１に記載の記録ディスクカートリッジ。
【請求項３】
前記シャッタは、前記開口部を開閉する板状部材であるシャッタプレートが、前記カートリッジケースの一部に形成された溝に係合されて支持されることで構成され、
前記集塵手段は、前記シャッタプレートの内面に設けられたことを特徴とする請求項１に記載の記録ディスクカートリッジ。
【請求項４】
前記集塵手段は、前記シャッタの少なくとも一部に塗布された粘着剤であることを特徴とする請求項１から請求項３のいずれか１項に記載の記録ディスクカートリッジ。
【請求項５】
前記集塵手段は、前記シャッタの少なくとも一部に貼付された両面テープであることを特徴とする請求項１から請求項３のいずれか１項に記載の記録ディスクカートリッジ。
【請求項６】
前記集塵手段は、前記シャッタの少なくとも一部を表面加工して、粘着性を持たせて構成されたことを特徴とする請求項１から請求項３のいずれか１項に記載の記録ディスクカートリッジ。
【請求項７】
前記集塵手段は、多孔性フィルタ部材に粘着剤の膜を設けて構成されたことを特徴とする請求項１から請求項３のいずれか１項の記録ディスクカートリッジ。
【請求項８】
前記多孔性フィルタ部材は、発泡樹脂、織布、および不織布から選択された一または複数の部材であることを特徴とする請求項４に記載の記録ディスクカートリッジ。
【発明の詳細な説明】
【技術分野】
【０００１】
本発明は、フレキシブルな記録ディスクメディアを複数備えた記録ディスクカートリッジに関する。
【背景技術】
【０００２】
従来、ポリエステルシートなどのフレキシブルな素材からなる円盤状の支持体の両面に磁性層を形成したフレキシブルな磁気ディスクメディアが知られている。この磁気ディスクメディアは、磁気テープに比べるとデータへのアクセスが速いというメリットがある一方で、記録面積が小さいことから記憶容量が小さいというデメリットがある。
【０００３】
このようなフレキシブルな磁気ディスクメディアのデメリットを解決するため、従来、一つのカートリッジケースに複数枚の磁気ディスクメディアを収納した磁気ディスクカートリッジが開示されている（例えば、特許文献１参照）。
【０００４】
ところで、フレキシブルな磁気ディスクメディアは、メディア自身の剛性が低いため、回転させると記録面に垂直な方向に振れやすいという問題がある。そのため、前記した特許文献１に記載の発明においては、各磁気ディスクメディアをシャッタにより挟んだ構成としている。このように磁気ディスクメディアの近傍に剛性が高いシャッタなどの板部材を配置することにより、磁気ディスクメディアが回転にともない板部材に沿うので、記録面を安定させることができる。
【０００５】
また、塵埃による磁気ディスクメディアへの影響を抑えるため、不織布によるライナなどが除塵手段として、従来用いられてきた。
【特許文献１】特開２００４−２２０１１号公報
【発明の開示】
【発明が解決しようとする課題】
【０００６】
しかしながら、前記した特許文献１の磁気ディスクカートリッジは、前記した板部材を１枚の磁気ディスクメディアに対して４枚配置した可動なシャッタ部材から構成しているため、構造が複雑であり、磁気ディスクメディアとの平行が保ちにくいという問題がある。また、磁気ディスクカートリッジは、大量に生産する商品であるため、組立性、生産性に優れることが望ましい。さらに、磁気ディスクメディアの枚数を、３枚、５枚などとした磁気ディスクカートリッジを複数種類設定しやすいように、設計変更の自由度が高いことが望ましい。
また、磁気ディスクメディアの高記録密度化に伴い、従来では影響の少なかった微小な塵埃の影響を軽視することができなくなってきた。
さらに、磁気ディスクメディアの回転に伴って生じる磁気ディスクカートリッジ内の空気の流れにより、一度留まった塵埃が再び飛散する再発塵が生じるおそれもある。これらは、ライナなどの除塵手段によって除去し切れなかった塵埃等が原因で生じるものであり、高記録密度化した磁気ディスクメディアにおける記録・再生の不安定化の原因となり得る。
【０００７】
このような背景に鑑みて本発明がなされたのであり、本発明は、簡素な構造からなり、組立性、生産性に優れ、記録ディスクメディアの枚数の変更も容易な記録ディスクカートリッジを提供することを第１の目的とする。
【０００８】
また、本発明は、塵埃を効率よく捕捉し、記録ディスクカートリッジ内における塵埃の再発塵を抑えることを第２の目的とする。
【課題を解決するための手段】
【０００９】
前記した課題を解決するため、本発明の記録ディスクカートリッジは、フレキシブルな記録ディスクメディアをカートリッジケース内に一体回転可能に収納してなり、前記カートリッジケースは、前記記録ディスクメディアの平行な下壁を構成する下プレートと、前記下プレートの上に積層され固定されて前記複数の記録ディスクメディアを仕切る少なくとも１枚のインナプレートと、前記インナプレートの上に積層され固定されて前記カートリッジケースの上壁を構成する上プレートと、これらの下プレート、インナプレート、および上プレートにより構成される側部の一部に形成された開口部と、前記開口部を開閉するシャッタとを備え、前記シャッタの少なくとも一部に集塵手段を設けて構成される。
【００１０】
このような構成により、本発明の記録ディスクカートリッジは、下プレート、インナプレート、上プレートを積み上げていく形でカートリッジケースが構成される。そのため、インナプレートと記録ディスクメディアの組を一つの単位とでき、インナプレートもすべて同じ部品とすることができて生産性に優れる。そして、組立工程における記録ディスクメディアの持ち運びも下プレートやインナプレートをトレー代わりにして行うことができるのでメディアを損傷・汚損することなく、組立性にも優れる。また、記録ディスクメディアの枚数を変更した仕様としたい場合には、主としてインナプレートの枚数を変えれば済むので仕様の変更が容易である。さらに、仕切り板となるインナプレートはカートリッジケースの一部として固定されているので、記録ディスクメディアとの平行性などの精度を出しやすく、記録ディスクメディアの、特に２０００〜８０００ｒｐｍのような高速での回転安定性を高めることができる。
また、開口部付近に存在するシャッタの少なくとも一部に集塵手段が設けられることで次のような作用効果を奏する。記録ディスクカートリッジ内に生じた塵埃は、記録ディスクメディアの回転に伴う空気の流れに乗って、記録ディスクカートリッジ内を移動する。やがて、空気は開口部から流出するが、このとき空気の流れに乗った塵埃は、開口部付近に存在するシャッタの内面に設けられた集塵手段に捕捉される。これによって、記録ディスクカートリッジ内の塵埃を効率よく捕捉することができる。
【００１１】
前記したシャッタは、前記開口部を開閉する板状部材であるシャッタプレートと、前記シャッタプレートを回動自在に支持する回動支持部材とを含んで構成され、前記集塵手段は、前記シャッタプレートの内面に設けられる。
【００１２】
また、前記したシャッタは、前記開口部を開閉する板状部材であるシャッタプレートが、前記カートリッジケースの一部に形成された溝に係合されて支持されることで構成され、前記集塵手段は、前記シャッタプレートの内面に設けられる。
【００１３】
このように、開口部付近に存在するシャッタプレートの内面に集塵手段を設けたことにより、開口部から流出する空気によって運ばれる塵埃を効率よく捕捉できる。
【００１４】
前記した集塵手段として、前記シャッタの少なくとも一部に塗布された粘着剤を用いることもできるし、前記シャッタの少なくとも一部に貼付された両面テープとすることもできる。
【００１５】
また、前記した集塵手段は、前記シャッタの少なくとも一部を表面加工して、粘着性を持たせて構成することもできる。
【００１６】
前記した各集塵手段は粘着性を有しているため、一度捕捉した塵埃が再発塵することはない。
そのうえ、前記した各集塵手段を設ける工程は、シャッタプレートに各集塵手段を塗布あるいは貼付するのみである。よって、これらの各集塵手段を簡易に設けることができる。
【００１７】
さらに、前記した集塵手段は、多孔性フィルタ部材に粘着剤の膜を設けて構成することもできる。
【００１８】
前記した多孔性フィルタ部材は、発泡樹脂、織布、および不織布から選択された一または複数の部材であることが望ましい。
【００１９】
集塵手段は粘着性を有しているため、一度捕捉した塵埃が再発塵することはない。
そして、集塵手段を設ける工程は、シャッタプレートに集塵手段を貼付するのみである。よって、集塵手段を簡易に設けることができる。
さらに、集塵手段として多孔性フィルタ部材に粘着剤の膜を設けることにより、多孔性フィルタ部材の外表面だけでなく、発泡樹脂の内部に存在する気泡、織布または不織布の繊維の表面にも粘着剤が被覆する。すなわち、それらの表面積の分だけ粘着性のある部材の付着面積が増え、塵埃の捕捉面積を大きくすることができる。結果、集塵手段による塵埃の捕捉能力を上げることができる。
【発明の効果】
【００２０】
本発明によれば、下プレート、インナプレート、上プレートを積み上げていく形でカートリッジケースが構成されるので、部品の共通化により生産性の向上が可能となり、記録ディスクメディアをインナプレートなどに載せて持ち運ぶことで、記録ディスクメディアを、損傷・汚損することなく、組立性にも優れる。
また、主としてインナプレートの枚数を変更することで容易に記録ディスクメディアの枚数の変更を行うことができる。
【００２１】
さらに、粘着性のある集塵手段が開口部付近に設けられることで、開口部により流出する空気に乗って運ばれた塵埃を集塵手段が効率よく捕捉することができる。また、集塵手段に粘着性を持たせることで、一度捕捉した塵埃の再発塵を抑えることができる。
さらに、各集塵手段を設ける工程は、シャッタプレートに各集塵手段を塗布あるいは貼付するのみであるので各集塵手段は簡易に設けることができる。
【発明を実施するための最良の形態】
【００２２】
次に、本発明の実施形態について、適宜図面を参照しながら詳細に説明する。以下の各実施形態においては、記録ディスクメディアの一例として磁気ディスクメディアを採用した場合について説明する。なお、以下の各実施形態における記録ディスクカートリッジの基本的な構成は共通するため、共通する部分については同一の符号を付して説明を省略し、後記する第２、第３および第４の実施形態においては特徴的な部分である集塵手段について説明することとする。
【００２３】
［第１の実施形態］
図１は、一実施形態に係る磁気ディスクカートリッジの分解斜視図であり、図２は、一実施形態に係る磁気ディスクカートリッジの外観斜視図の（ａ）シャッタを閉じた状態、および（ｂ）シャッタを開けた状態を示し、図３は、上プレートの内面を示す斜視図であり、図４は、磁気ディスクドライブに装填した磁気ディスクカートリッジの図２（ｂ）におけるIV−IV断面図であり、図５は、図４の部分拡大図であり、図６は、磁気ディスクメディアの積層構造を示す分解斜視図である。
なお、以下の説明において、上下は、磁気ディスクカートリッジの典型的な使用状態を基準とし、便宜上磁気ディスクメディアの面に垂直な方向を上下と称する。
【００２４】
図１に示すように、記録ディスクカートリッジの一例である磁気ディスクカートリッジ１は、下壁を構成する下プレート１０と、複数枚、例えば４枚のインナプレート２０と、上壁を構成する上プレート３０とを順に積層し、これらを４つのネジ９１で締結して固定することでカートリッジケース２（図２（ａ）参照）が構成されている。そして、下プレート１０とインナプレート２０の間、インナプレート２０同士の間、およびインナプレート２０と上プレート３０の間のそれぞれには磁気ディスクメディア４１が配置されている。磁気ディスクメディア４１は中央に開口部４１ａを有する円盤形状であり、開口部４１ａの縁に金属製のセンタコア４２が貼り付けられている。そして、センタコア４２同士がスペーサ４３，４３′により係合して５枚の磁気ディスクメディア４１（この積層・一体化された磁気ディスクメディア４１をディスクスタック４０とする）を一体に回転するようになっている。
【００２５】
各インナプレート２０は、平板状の主プレート２１の外周縁に上下のプレートと当接するリブ２２が形成されている。インナプレート２０の図１における右手前側の一部は、磁気ヘッド６３（図４参照）が磁気ディスクメディア４１上に移動しやすいように切欠２３を形成している。この切欠２３の部分は、前記したリブ２２が形成されておらず、そのためインナプレート２０を積み重ねると、図２（ａ）に示すようにカートリッジケース２の側面に開口部３が形成される。
【００２６】
この開口部３は、ディスクスタック４０と同軸に回動するシャッタ４により開閉される。シャッタ４は、図１に示すように下ロータ５１と上ロータ５２とを組み合わせることにより構成されている。また、シャッタ４の内面、つまり内側のほぼ全面にわたって、集塵手段７０が設けられている（図１および図２参照）。なお、集塵手段７０については、後に詳述する。
【００２７】
次に、各部材についてより詳細に説明する。
下プレート１０は、主として略正方形の主プレート１１の外周縁に、インナプレート２０のリブ２２の下面側と当接するリブ１２と、側壁１３が形成されて構成されている。側壁１３は、主プレート１１の１つの角（図１においては手前側の角）から所定の範囲、例えば一辺の３分の１程度の範囲に立設されており、およそインナプレート２０を積み重ねた高さで形成されている。
【００２８】
主プレート１１の側壁１３に連なる一方の一辺１１ａ（図１における右手前側の一辺）から主プレート１１の中心に向かう扇形の部分は、一段低くなった凹部１４ａを形成し、外周縁にはリブ１２が形成されずに開口１４となっている。これにより、磁気ヘッド６３がカートリッジケース２内に進入することを容易にしている。
主プレート１１の側壁１３に連なる他の一辺１１ｂ（図１における左手前側の一辺）の中央略３分の１の範囲は、後記する下ロータ５１のギヤ５１ｆが露出できるようにリブ１２が形成されずに開口１５となっている。また、当該他の一辺１１ｂ側の側壁１３の外側には、開口１５に連なって下プレート１０の外周に沿った溝１３ａが形成されている。溝１３ａは、磁気ディスクドライブのシャッタオープンギヤ６７（図２（ａ）参照）がギヤ５１ｆに係合すべく図２（ａ）の矢印Ａｒで示す方向へ進入して開口１５へ入り込む通路となっている。
【００２９】
前記したリブ１２は、主プレート１１の外周縁のうち、側壁１３、開口１４，１５を除く全周にわたり、上方へ突出するように形成されている。
主プレート１１の中央には、最下層の磁気ディスクメディア４１に設けられるセンタコア４２を露出させるための円形の開口部１６が形成されている。開口部１６の上側の縁には、下ロータ５１の中央に形成された中央開口部５１ｃが外嵌するリブ１７が全周にわたって形成されている。このリブ１７は、下ロータ５１を回動自在に支持する。
また、主プレート１１の上面（内面）において、下ロータ５１の外周縁に対応する位置には、円形状の下ロータ支持溝１８が形成されている。この下ロータ支持溝１８は、下ロータ５１の外周縁において下方へ向けて形成されるリブ５１ｄ（図４参照）と係合することで、下ロータ５１を磁気ディスクメディア４１と同軸で回動自在に支持する。
また、主プレート１１の四つの角部には上下に貫通して、雌ネジが形成されたネジ孔１９が形成されている。
【００３０】
インナプレート２０の主プレート２１は、およそ正方形をなしており、正方形の４つの角部のうち一つの角に相当する部分が磁気ディスクメディア４１より一回り大きい円弧の形状（円弧部２４）となっている。そして、円弧部２４に連なる一辺（図１における右手前側）に前記した切欠２３が扇形に形成されている。前記したリブ２２は、主プレート２１の外周縁のうち、円弧部２４および切欠２３を除く全周にわたり、上下に突出して形成されている。そして、主プレート２１の中央には、上方のセンタコア４２を露出して、下方のセンタコア４２との連結を可能にするための中央開口部２１ｃが形成されている。
また、主プレート２１の３つの角部には、上下に貫通してネジ９１のネジ軸部９１ａが挿通される孔２９が形成されている。
【００３１】
上プレート３０は、下プレート１０とおよそ対称に形成されている。図３に示すように、上プレート３０は、およそ正方形の主プレート３１に、前記した凹部１４ａに対応する凹部３４と、リブ１７に対応するリブ３７と、下ロータ支持溝１８に対応する上ロータ支持溝３８が形成されている。なお、主プレート３１の中央に開口は形成されず、側壁１３に対応する側壁も形成されていない。
そして、主プレート３１の外周縁には、下方に突出するリブ３２が、凹部３４を除く全周にわたって形成されている。
また、主プレート３１の四つの角部には、ネジ９１のネジ軸部９１ａが貫通する孔３９が形成されている。
【００３２】
下ロータ５１は、およそ磁気ディスクメディア４１と同じリング状の下ロータプレート５１ａに中央開口部５１ｃ、切欠５１ｅ、リブ５１ｄ、およびギヤ５１ｆが形成され、下ロータプレート５１ａの外周縁にシャッタプレート５１ｂが立設されて構成されている。中央開口部５１ｃは、リブ１７に外嵌する円形に形成され、切欠５１ｅは、凹部１４ａに対応する扇形に形成される。また、リブ５１ｄは、下ロータ支持溝１８に対応して下ロータプレート５１ａの下面の外周縁に下方に向けて設けられている。
シャッタプレート５１ｂは、開口部３（図２（ａ）参照）とディスクスタック４０とを遮断する遮蔽部材であり、切欠５１ｅに隣接して下ロータプレート５１ａの外周縁に沿って立設されている。ギヤ５１ｆは、シャッタ４（図２（ａ）参照）を、磁気ディスクカートリッジ１の外部から開閉操作するために係合される部分であり、下ロータプレート５１ａの外周に、シャッタプレート５１ｂに隣接して所定の範囲に形成されている。
【００３３】
図７（ａ）に示すように、シャッタプレート５１ｂの内面、つまり内側のほぼ全面にわたって集塵手段としての粘着剤７１が塗布されている。本実施の形態では粘着剤７１として、例えばゲル状の粘着体を用いているが、これに限られることはなく固形状、液状、油状のものでもよい。
【００３４】
磁気ディスクカートリッジ１内に生じた塵埃は、磁気ディスクメディア４１の回転に伴う空気の流れに乗って、磁気ディスクカートリッジ１内を移動する。やがて、空気は開口部３から流出するが、このとき空気の流れに乗った塵埃は開口部付近に存在するシャッタプレート５１ｂの内面に設けられた集塵手段７０としての粘着剤７１に捕捉される。これによって、磁気ディスクカートリッジ１内の塵埃を効率よく捕捉することができる。また、粘着剤７１が有する粘着性により、一度捕捉された塵埃が磁気ディスクカートリッジ１内に再発塵することはない。結果、磁気ディスクメディア４１の記録・再生を良好な状態に保つことができる。
【００３５】
さらに、磁気ディスクカートリッジ１の組立工程において、集塵手段７０を設ける工程は、粘着剤７１を塗布するだけとなり、簡易に集塵手段７０を設けることができる。
【００３６】
上ロータ５２は、下ロータ５１とおよそ対称に構成されている。すなわち、下ロータプレート５１ａと同様な上ロータプレート５２ａからなり、上ロータプレート５２ａには、上プレート３０のリブ３７に外嵌する中央開口部５２ｃと、凹部３４に対応する切欠５２ｅと、上ロータ支持溝３８に対応するリブ５２ｄとが形成されている。また、上ロータプレート５２ａの外周縁の切欠５２ｅに隣接する部分には、下ロータ５１のシャッタプレート５１ｂに対応して、シャッタ溝５２ｂが形成されている。シャッタ溝５２ｂと、シャッタプレート５１ｂの上端縁が係合することで、下ロータ５１と上ロータ５２は一体に回動するようになっている。
上ロータ５２は、中央開口部５２ｃが上プレート３０のリブ３７に外嵌するとともにリブ５２ｄが上ロータ支持溝３８に係合することで上プレート３０に回動自在に支持されている。なお、上ロータ５２は、係止部材５３により上プレート３０からの脱落が防止されている。係止部材５３は、リブ３７（図３参照）に内挿される筒部５３ａと、筒部５３ａの一端に形成されたフランジ５３ｂを有し、筒部５３ａが上ロータ５２の下側から中央開口部５２ｃに挿通され、リブ３７に超音波溶着または接着剤などにより固定されている。
【００３７】
図５に示す拡大断面図のように、下ロータ５１の上面、インナプレート２０の上下の両面、および上ロータ５２の下面は、磁気ディスクメディア４１と対向する面であり、それぞれ磁気ディスクメディア４１に対向する部分にわたってライナ４９が貼り付けられている。
ライナ４９は、例えばポリエステル繊維やレーヨン／ポリエステル混紡繊維などの不織布などからなる。
【００３８】
次に、下プレート１０と、インナプレート２０と、上プレート３０の積層構造について説明する。
下プレート１０のリブ１２は、図５に示すように内側が外側に対して一段高く形成されて雄型段部１２ａを形成している。そして、インナプレート２０のリブ２２は、最外周で下方に突出した雌型段部２２ａを形成しており、雄型段部１２ａの外周と雌型段部２２ａの内周が嵌合可能になっている。また、ネジ９１（図１参照）により下プレート１０、インナプレート２０、および上プレート３０を締結したときには、雄型段部１２ａの上面と、インナプレート２０の下面の対応する部分が密着する設定となっている。このように、下プレート１０のリブ１２と、インナプレート２０のリブ２２は、いわゆる印籠嵌合しているため、外部からカートリッジケース２内への塵埃の侵入が防止されている。
同様にして、インナプレート２０同士、およびインナプレート２０と上プレート３０も印籠嵌合により積層されている。すなわち、インナプレート２０の上側は、内側が一段高くなった雄型段部２２ｂが形成され、上プレート３０のリブ３２は、最外周が一段下側に突出した雌型段部３２ａが形成されている。そして、インナプレート２０の雄型段部２２ｂと、上に隣接するインナプレート２０の雌型段部２２ａが印籠嵌合し、また、インナプレート２０の雄型段部２２ｂと、上プレート３０の雌型段部３２ａが印籠嵌合して積層されている。このようにして、リブ１２，２２，３２は互いに印籠嵌合して、外部からカートリッジケース２へ塵埃が入ることを防止している。また、下プレート１０、インナプレート２０、上プレート３０の積層と同時にカートリッジケース２の側壁が構成される。
【００３９】
また、前記した雌型段部２２ａおよび雄型段部２２ｂは、ともに主プレート２１からライナ４９の厚みより高く突出している。そのため、インナプレート２０にライナ４９を貼り付けてアセンブリにした後に、このアセンブリを作業台などに置いたとしても、ライナ４９が作業台に接することが無く、したがってライナ４９が塵埃などで汚染されることがない。
【００４０】
このようなインナプレート２０の積層によるカートリッジケース２の構成は、磁気ディスクメディア４１の枚数の変更を容易にする。側壁１３の高さ変更や、シャッタプレート５１ｂの高さ変更は要するが、主としてインナプレート２０の枚数を変更するだけで、カートリッジケース２内に形成される磁気ディスクメディア４１の収容部の数を変更できるからである。
【００４１】
次に、磁気ディスクメディア４１およびその積層構造について説明する。
磁気ディスクメディア４１は、例えばポリエステルなどの樹脂シートに磁性塗料を両面に塗布したものである。
【００４２】
図６に示すように、センタコア４２は、金属板をプレスにより絞り成形して略ハット状にしたものである。すなわち、主として円形の底板４２ａと、底板４２ａの外周縁から立ち上がる低い円筒状の側壁４２ｂと、側壁４２ｂの上端から外径方向に広がるフランジ４２ｃとから構成されている。底板４２ａの中心には、センタホール４２ｄが形成され、周縁部にはセンタホール４２ｄを中心に６０°間隔で６つの小孔４２ｅが形成されている。
【００４３】
スペーサ４３は、隣接するセンタコア４２の間に介装されて、センタコア４２同士の間隔を保持するとともに、隣接するセンタコア４２相互間の回転を係止して、積層された磁気ディスクメディア４１が一体になって回転するように機能する。スペーサ４３は、樹脂をリング状に成形した本体部４３ａと、本体部４３ａに圧入された金属製のピン４３ｂとから構成される。本体部４３ａには、ピン４３ｂが圧入される小径孔部４３ｃと、小径孔部４３ｃと同軸で僅かに大径である大径孔部４３ｄとからなる貫通孔ｈが、センタコア４２の小孔４２ｅと対応する位置に６つ形成されている。この６つの貫通孔ｈは、隣接するもの同士の上下が逆になっている。つまり、大径孔部４３ｄが上側に位置する貫通孔ｈ１の両隣の貫通孔ｈ２は、大径孔部４３ｄが下側に位置するように配置されている。
各小径孔部４３ｃには、上側と下側からピン４３ｂが圧入され、ピン４３ｂの一端は大径孔部４３ｄと小径孔部４３ｃの境目に位置し、他端は小径孔部４３ｃの外側へ突出している。大径孔部４３ｄは、隣接するスペーサ４３のピン４３ｂの先端の逃げとしての機能を果たす。
【００４４】
このようなスペーサ４３は、図５に示すように、隣接するセンタコア４２の間に介装される。スペーサ４３の下側に突出したピン４３ｂは、スペーサ４３の下側のセンタコア４２の小孔４２ｅに入り、下側のセンタコア４２との相対回転を係止する。下側のセンタコア４２のさらに下にスペーサ４３がある場合には、下側のスペーサ４３における大径孔部４３ｄに入り込むことで、スペーサ４３のセンタコア４２に対する浮き上がりを防止している。スペーサ４３の上側に突出したピン４３ｂは、スペーサ４３の上側のセンタコア４２の小孔４２ｅに入り、上側のセンタコア４２との相対回転を係止する。上側のセンタコア４２のさらに上にスペーサ４３がある場合には、ピン４３ｂの先端は、上側のスペーサ４３における大径孔部４３ｄに入り込む。
【００４５】
なお、最上層のセンタコア４２は、上側に回転係止すべきセンタコアが無いため、その上には下側にのみピン４３ｂを突出させた、厚みの薄いトップスペーサ４３′が配置される。
【００４６】
以上のように積層された磁気ディスクメディア４１、つまりディスクスタック４０は、連結軸４４、ベアリングボール４５、圧縮コイルばね４６、およびセンタプレート４７により、安定した回転支持がなされている。
図５に示すように、連結軸４４は、積層されたセンタコア４２の相互間の中心の振れを少なくするとともに、ベアリングボール４５および圧縮コイルばね４６を保持するためのものであり、軸部４４ａ、ボール保持部４４ｂ、およびばね保持部４４ｃからなる。軸部４４ａは、センタコア４２のセンタホール４２ｄに挿通可能な円柱形状からなる。ボール保持部４４ｂは、軸部４４ａの上端に上側に開口した有底円筒状に形成されている。ボール保持部４４ｂの深さは、ベアリングボール４５の半径より大きく、そのためベアリングボール４５がボール保持部４４ｂに安定して保持される。ばね保持部４４ｃは、ボール保持部４４ｂの外径側に有底円筒を伏せた形状からなり、軸部４４ａとばね保持部４４ｃの間の円筒状の空間に圧縮コイルばね４６が配置される。なお、連結軸４４の長さは任意的であるが、本実施形態では、下から２層目のセンタコア４２まで届く長さであり、最下層のセンタコア４２のセンタホール４２ｄは、磁気ディスクドライブのスピンドル６５が進入できるように開いている。
【００４７】
センタプレート４７は、上プレート３０の内面の中心、つまり、リブ３７の内側の平面部分に貼り付けられた滑り部材である。センタプレート４７は、例えば、ポリオキシメチレン樹脂、超高分子量ポリエチレンなどの滑り性と耐摩耗性に優れた材料から構成することができる。
【００４８】
ベアリングボール４５は、例えばボールベアリングに使用される鋼製の球体からなるが、滑り性、耐摩耗性に優れた樹脂、例えばポリテトラフルオロエチレン、ポリオキシメチレン樹脂などにより構成しても良い。ベアリングボール４５は、連結軸４４のボール保持部４４ｂ内に配置されて、ボール保持部４４ｂの底面および上プレート３０の内面の中心、つまりセンタプレート４７と点接触により当接して、ディスクスタック４０を回転支持する。
【００４９】
圧縮コイルばね４６は、一端（上端）が連結軸４４のばね保持部４４ｃに保持され、他端（下端）が最上層のセンタコア４２の上面に当接して、積層されたセンタコア４２を下プレート１０側、つまり磁気ディスクドライブのスピンドル６５側へ付勢している。これにより、センタコア４２は、カートリッジケース２の中でがたつくことがなく、磁気ディスクメディア４１の回転時の振れが防止される。
【００５０】
磁気ディスクカートリッジ１に対し、データの記録、再生を行う磁気ディスクドライブは、図４に示すように、スピンドル６５により、ディスクスタック４０を回転させる。スピンドル６５は、磁力により最下層のセンタコア４２を吸着するとともに、センタコア４２のセンタホール４２ｄに入り込むことで、ディスクスタック４０との軸合わせをする。この際、スピンドル６５が、圧縮コイルばね４６の付勢力に抗してセンタコア４２を若干持ち上げるので、図４、図５に示すように、各磁気ディスクメディア４１は、下ロータ５１とインナプレート２０、上下のインナプレート２０同士、またはインナプレート２０と上ロータ５２の各間に形成される空間の中央に位置する。
磁気ディスクドライブの磁気ヘッド６３は、スイングアーム６２の先端に設けられている。磁気ヘッド６３は、各磁気ディスクメディア４１の両面に配置されている。
【００５１】
以上のような磁気ディスクカートリッジ１は、図２（ａ）に示すように、不使用時は、シャッタ４を図中左回りに回動させて開口部３を閉塞しておくことで、内部への塵埃の侵入を防止することができる。そして、使用時には、図２（ｂ）に示すように磁気ディスクドライブに装填する際に、磁気ディスクドライブのシャッタオープンギヤ６７が、溝１３ａに嵌って案内されてギヤ５１ｆと噛合し、シャッタ４を図中右回りへ回動させる。
そして、スピンドル６５が回転することで、ディスクスタック４０が回転する。その後、アクチュエータ６１により駆動されることでスイングアーム６２が回動して、磁気ヘッド６３が磁気ディスクメディア４１の上に移動される。
【００５２】
磁気ヘッド６３で、磁気ディスクメディア４１にデータを記録する場合には、図示せぬ制御回路により磁気ヘッド６３へ信号を送ることで磁気ディスクメディア４１にデータが記録され、磁気ディスクメディア４１からデータを再生する場合には、磁気ディスクメディア４１上の磁界変化を磁気ヘッド６３で検知して、信号が出力される。
このとき、ライナ４９が適宜磁気ディスクメディア４１に触れることで磁気ディスクメディア４１上の塵埃が除去される。
このとき、ライナ４９によって除去し切れなかった塵埃は、シャッタプレート５１ｂの内面に設けられた集塵手段７０によって集塵される。
磁気ディスクカートリッジ１の使用後は、磁気ヘッド６３がカートリッジケース２から退避した後、磁気ディスクカートリッジ１をイジェクトすることで、シャッタオープンギヤ６７によりギヤ５１ｆが駆動されてシャッタ４が開口部３を閉じる。
【００５３】
このように磁気ディスクカートリッジ１は、複数の磁気ディスクメディア４１を有することから、複数の磁気ヘッド６３で同時にデータにアクセスすることで、データ転送を高速で行うことができる。
また、インナプレート２０を積み上げていくことでカートリッジケース２が構成されるために、磁気ディスクメディア４１を異なる枚数にする仕様変更が容易である。そして、磁気ディスクカートリッジ１の組立時には、磁気ディスクメディア４１をインナプレート２０や、下プレート１０に組み付けた下ロータ５１上に載せて取り扱うことができるため、磁気ディスクメディア４１に触れる機会を減らし、品質をより安定させることができる。
そして、インナプレート２０は、下プレート１０もしくはインナプレート２０の上に積層され、固定されていることから、磁気ディスクメディア４１との平行性を高くでき、磁気ディスクメディア４１の回転を安定させることができ、磁気ディスクメディア４１の高速回転、ひいてはデータ転送の高速化も可能となる。
【００５４】
磁気ディスクカートリッジ１内に生じた塵埃は、まずライナ４９によって除塵されるが、このときに除き切ることができなかった塵埃は、磁気ディスクメディア４１の回転に伴う空気の流れに乗って、磁気ディスクカートリッジ１内を移動する。やがて、空気は開口部３から流出するが、このとき空気の流れに乗った塵埃はシャッタプレート５１ｂの内面に設けられた集塵手段７０としての粘着剤７１に捕捉される。これによって、磁気ディスクカートリッジ１内の塵埃を効率よく捕捉することができる。また、粘着剤７１が有する粘着性によって、一度捕捉された塵埃が磁気ディスクカートリッジ１内に再発塵することもない。結果、磁気ディスクメディア４１の記録・再生を良好な状態に保つことができる。
【００５５】
さらに、磁気ディスクカートリッジ１の組立工程において、集塵手段７０を設ける工程は粘着剤７１を塗布するだけとなり、簡易に集塵手段７０を設けることができる。
【００５６】
［第２の実施形態］
本実施の形態では、図７（ｂ）に示すように、シャッタプレート５１ｂの内面のほぼ全面にわたって、集塵手段である両面テープ７２を貼付してある。
このような磁気ディスクカートリッジ１によれば、磁気ディスクカートリッジ１内に生じた塵埃はまずライナ４９によって除塵されるが、このときに除き切ることができなかった塵埃は磁気ディスクメディア４１の回転に伴う空気の流れに乗って、磁気ディスクカートリッジ１内を移動する。やがて、空気は開口部３から流出するが、このとき空気の流れに乗った塵埃はシャッタプレート５１ｂの内面に設けられた集塵手段７０としての両面テープ７２に捕捉される。これによって、磁気ディスクカートリッジ１内の塵埃を効率よく捕捉することができる。また、両面テープ７２が有する粘着性によって、一度捕捉された塵埃が磁気ディスクカートリッジ１内に再発塵することもない。結果、磁気ディスクメディア４１の記録・再生を良好な状態に保つことができる。
【００５７】
しかも、集塵手段７０として両面テープ７２を用いているので、集塵手段７０を設ける工程が、より一層簡易であるという利点が得られる。
【００５８】
［第３の実施形態］
本実施の形態では、図７（ｃ）に示すように、シャッタプレート５１ｂの内面のほぼ全面に後記する表面加工を施して粘着性を持たせてある。表面加工の手段としては、例えば溶剤を塗布することによって、シャッタプレート５１ｂの内面に粘着性を持たせることが挙げられる。
この場合においても、シャッタプレート５１ｂの内面に表面加工を施して粘着性を持たせてあるので、磁気ディスクカートリッジ１内の塵埃を効率よく捕捉することができ、また、再発塵を防止することができる。
【００５９】
しかも、溶剤を塗布するだけという極めて簡易な手段により、集塵手段７０を設けることができ、生産性に優れた磁気ディスクカートリッジ１が得られる。
【００６０】
［第４の実施形態］
本実施の形態では、図７（ｄ）に示すように、シャッタプレート５１ｂの内面に、集塵手段である多孔性フィルタ部材７４を設け、この多孔性フィルタ部材７４に粘着剤７１の膜を設けてある。この多孔性フィルタ部材７４は、発泡樹脂、織布、および不織布から選択された一または複数の部材から構成することができる。例えば、多孔性フィルタ部材７４として連続気泡型のスポンジを用い、そのスポンジを液状の粘着体に浸漬した後、シャッタプレート５１ｂの内面に貼付したものを集塵手段７０とする。このようにすることで、内部の気泡の表面まで粘着体を被覆させることができる。ここで、粘着剤７１は前記した液状のものに限らず、ゲル状、油状のものを用いてもよい。また、固形状の粘着剤を多孔性フィルタ部材７４の表面に塗布してもよい。
【００６１】
このような構成による磁気ディスクカートリッジ１によれば、粘着剤７１を塗布した多孔性フィルタ部材７４で、塵埃を効率よく捕捉することができる。また、再発塵をも防止することができる。
【００６２】
図８は、図７（ｄ）、すなわち粘着剤７１に浸漬した後の多孔性フィルタ部材７４の断面を部分拡大した模式図である。図８に示すように、多孔性フィルタ部材７４は、多孔質構造体７４ａと気泡７４ｂからなり、多孔性フィルタ部材７４の外表面と気泡７４ｂの内側表面とが粘着剤７１で被覆されたものとなっている。この図からつまり、気泡７４ｂの内側表面を粘着剤７１が被覆することにより、多孔性フィルタ部材７４の気泡７４ｂの表面積の分だけ粘着剤７１の付着面積が大きくなっている。従って、全体としての表面積が増えた分、より多くの塵埃を捕捉することができる。
【００６３】
以上、本発明の実施形態について説明したが、本発明は前記した実施形態に限定されることなく適宜変形して実施することが可能である。例えば、実施形態においては、記録ディスクメディアとして磁気ディスクメディア４１を適用したが、光によりデータを記録する光ディスクメディアの場合にも同様に適用することができる。
また、実施形態においては、下プレート１０、インナプレート２０、上プレート３０をネジ９１により締結固定したが、接着、溶着により一体に固定することも可能である。
【００６４】
また、図９に示すように、シャッタ４はカートリッジケース２の側面をスライドさせる形で設けてもよく、このシャッタ４の内面側に集塵手段７０を設けてもよい。
【００６５】
さらに、前記各実施形態では、集塵手段７０をシャッタプレート５１ｂの内面のほぼ全面にわたって設けたが、シャッタプレート５１ｂの一部にのみ設けてもよい。
【００６６】
また、前記各実施形態では、粘着剤７１の塗布形状、両面テープ７２の貼付形状、表面加工をするための溶剤の塗布形状、および多孔性フィルタ部材７４の貼付形状をそれぞれ長方形状としたが、これに限られることはなく、楕円形状、菱形状などとしてもよい。
【００６７】
さらに、集塵手段７０は着脱可能にしてもよい。この場合には、塵埃が蓄積したときなどに集塵手段７０を交換することができ、これによって集塵性能を維持することができる。
【図面の簡単な説明】
【００６８】
【図１】第１の実施形態に係る磁気ディスクカートリッジの分解斜視図である。
【図２】第１の実施形態に係る磁気ディスクカートリッジの外観斜視図の（ａ）シャッタを閉じた状態、および（ｂ）シャッタを開けた状態を示す。
【図３】上プレートの内面を示す斜視図である。
【図４】磁気ディスクドライブに装填した磁気ディスクカートリッジの図２（ｂ）におけるIV−IV断面図である。
【図５】図４の部分拡大図である。
【図６】磁気ディスクメディアの積層構造を示す分解斜視図である。
【図７】シャッタプレートの内面を示す図であり、（ａ）は粘着剤を塗布した状態を示す図、（ｂ）は両面テープを貼付した状態を示す図、（ｃ）は溶剤を塗布して表面加工を施した状態を示す図、（ｄ）は多孔性フィルタ部材に粘着剤の膜を設けた状態を示す図である。
【図８】図７（ｄ）の断面を部分拡大した模式図である。
【図９】シャッタの開閉をスライド状にした磁気ディスクカートリッジの外観斜視図である。
【符号の説明】
【００６９】
１      磁気ディスクカートリッジ
２      カートリッジケース
３      開口部
４      シャッタ
１０    下プレート
２０    インナプレート
２３    切欠
３０    上プレート
３４    開口
４０    ディスクスタック
４１    磁気ディスクメディア
４２    センタコア
４３    スペーサ
４４    連結軸
４５    ベアリングボール
４７    センタプレート
４９    ライナ
５１    下ロータ
５２    上ロータ
６１    アクチュエータ
６２    スイングアーム
６３    磁気ヘッド
６５    スピンドル
７０    集塵手段
【図１】
2006065900.tif 000003
【図２】
2006065900.tif 000004
【図３】
2006065900.tif 000005
【図４】
2006065900.tif 000006
【図５】
2006065900.tif 000007
【図６】
2006065900.tif 000008
【図７】
2006065900.tif 000009
【図８】
2006065900.tif 000010
【図９】
2006065900.tif 000011